(57)【要約】【課題】ＩＤカード交付業務の効率を向上させると共に、セキュリティ性を向上させること。【解決手段】申請者の申請した情報に基づいてＩＤカードを作成して発行する発行手段（５０）と、作成された前記ＩＤカードの更新申請を受け付ける申請受付手段（４０）と、を備え、前記申請受付手段は、申請者がＰＩＮ情報を入力するための専用のＰＩＮ入力部（４１）を備えた。【選択図】      図１
2006285918.tif 000002
【特許請求の範囲】
【請求項１】
申請者の申請した情報に基づいてＩＤカードを作成して発行する発行手段と、
作成された前記ＩＤカードの更新申請を受け付ける申請受付手段と、を備え、
前記申請受付手段は、申請者がＰＩＮ情報を入力するための専用のＰＩＮ入力部を備えたことを特徴とするＩＤカード発行システム。
【請求項２】
請求項１に記載のＩＤカード発行システムにおいて、前記発行手段は、申請者がＰＩＮ情報を入力するための専用のＰＩＮ入力部を備え、ＩＤカード作成時にＰＩＮ情報が登録されていなければ、申請者により前記ＰＩＮ入力部にＰＩＮ情報が入力されることを特徴とするＩＤカード発行システム。
【請求項３】
請求項１または請求項２に記載のＩＤカード発行システムにおいて、ＰＩＮ情報のみを管理するための管理手段を更に具備し、申請者のＩＤ情報とＰＩＮ情報とが関連付けられて管理されることを特徴とするＩＤカード発行システム。
【請求項４】
請求項１から請求項３のいずれか１項に記載のＩＤカード発行システムにおいて、登録されたＰＩＮ情報とＩＤカードに格納されたＰＩＮ情報を照合する照合手段を更に備え、前記照合手段は、申請者がＰＩＮ情報を入力するための専用のＰＩＮ入力部を備えたことを特徴とするＩＤカード発行システム。
【発明の詳細な説明】
【技術分野】
【０００１】
本発明は、たとえば、ＩＣカード化されている免許証、証明書等のＩＤカードを発行するＩＤカード発行システムにおける保有者の暗証コード（本明細書では、「ＰＩＮ情報」と称する）の管理に関する。
【背景技術】
【０００２】
免許証等のＩＤカードのＩＣカード化が画策されている（特許文献１参照）。このＩＤカードでは、登録データの読取り時に、ＰＩＮ情報の照合により本人確認を行うことにより、セキュリティが保たれるものとなっている。このＰＩＮ情報は、免許証の仕様上、ＩＤカードの発行ごとに登録しておく必要がある。なお、カード作成後には、ＰＩＮ情報の変更が行えないものとなっている。
【０００３】
このようなＩＤカードの発行システムでは、申請書に記載されたＰＩＮ情報を他の記載情報とともに係員（オペレータ）の入力により、ホスト（情報管理コンピュータ）に登録され、顔画像の撮影時に、ホストから読み出した記載情報と顔画像データにＰＩＮ情報を付加してＩＣカード内に登録するようになっている。
【０００４】
この場合、申請者のＰＩＮ情報を係員である第３者が知り得る状況にあり、セキュリティ上問題がある。また、事前にＰＩＮ情報をホストへ登録する必要があり、すでに登録されている内容で更新処理を行うシステムであっても、その処理が余計にかかるものとなっている。
【０００５】
このように、申請者が申請書に記入した保有者ＰＩＮ情報を係員がホストコンピュータ３０に登録し、その情報を基にＩＤカードの発行を行っている。また、ＩＤカードに格納されている情報についてもデータが正しく登録されているか係員による確認が必要である。
【０００６】
【特許文献１】特開２００１−０８８４７８号公報
【発明の開示】
【発明が解決しようとする課題】
【０００７】
しかし、係員によるＰＩＮ情報の登録や確認には以下の問題点がある。
（１）ＰＩＮ情報の誤入力  
（２）ＰＩＮ情報を入力する時間がかかる  
（３）作成後のＩＤカードのＰＩＮ情報を確認する時間がかかる  
（４）個人のＰＩＮ情報を第三者である係員が知り得る  
等の問題がある。
【０００８】
本発明は、ＩＤカード交付業務（作成・更新を含む）の効率を向上させると共に、セキュリティ性を向上させることを目的とする。
【課題を解決するための手段】
【０００９】
本発明の局面に係る発明は、ＩＣ等記録媒体を有するＩＤカード発行システムにおける保有者ＰＩＮ情報の入力及び発行後ＩＤカードに格納されているＰＩＮ情報の確認を申請者本人に行わせることにより、ＩＤカード交付業務の効率を向上させるとともに、ＰＩＮ情報の管理を他のＩＤカード情報と別管理することによりセキュリティ性を向上させている。  
更に、ＰＩＮ情報の管理をＩＤカードの他の情報と分けて行うようにしたので、係員が不必要にＰＩＮ情報を閲覧できない仕組みとなっている。
【発明の効果】
【００１０】
本発明によれば、申請者によるＰＩＮ情報の管理を行うことにより、  
（１）ＩＤカード更新時のＰＩＮ情報の誤入力の防止  
（２）ＩＤカード更新時のＰＩＮ情報の入力の時間省略  
（３）ＩＤカード作成後のＩＤカード情報確認時間の短縮（ＰＩＮ情報確認）  
（４）基本的に係員は保有者ＰＩＮ情報を知らずに済む  
という効果があり、ＩＤカード発行業務の省力化、セキュリティの向上、ひいては、係員誤入力によるトラブルの回避が期待できる。
【発明を実施するための最良の形態】
【００１１】
図面を参照して本発明の実施の形態を説明する。図１は、本発明の一実施形態に係るＩＤカード発行システムの概略構成を示すブロック図である。
本実施形態に係るＩＤカード発行システムは、ＰＩＮ管理サーバ１０とＰＩＮ確認端末２０とホストコンピュータ３０と、ＩＤカード更新申請受付端末４０と、ＩＤカード発行装置５０と、ＰＩＮ照合端末６０とからなり、各部は、ＬＡＮ等の通信回線７０で接続されている。
【００１２】
ＰＩＮ管理サーバ１０はＩＤカード更新申請受付端末４０またはＩＤカード発行装置５０から送信されたＩＤ番号とＰＩＮ情報を関連付けて格納するデータベースを有している。このデータベースに格納されるＰＩＮ情報として、２種類のＰＩＮ情報が設定されるようになっている。なお、このＰＩＮ情報は、３種類以上であっても良く、ＰＩＮ情報に対して、ランクが付けられており、ランクが高くなるほど、より詳細な個人情報を閲覧することができるようになる。
【００１３】
ＰＩＮ確認端末２０は、管理用端末であって、ＰＩＮ管理サーバ１０に格納されているＰＩＮ情報の検索・表示を行う端末である。
ホストコンピュータ３０はＩＤカードを作成するために必要な情報を格納するための図示しないデータベースを有しており、ＩＤカード情報をＩＤ番号（免許証番号）に基づいて管理する。例えば、データベースには、免許証番号に基づいて氏名、生年月日、本籍、住所、交付年月日、有効期限、免許の条件等、免許の取得年月日、取得免許の種類等の個人情報が登録される。
【００１４】
ＩＤカード更新申請受付端末４０はＩＤカードの更新申請を受け付ける端末であり、ＰＩＮ情報を入力するためのキーボード等からなるＰＩＮ入力部４１と、ＩＤカード記録情報を読み取る為のカードリーダ４２を有している。なお、カードリーダ４２は、ＩＤカードがＩＣ化されていない場合は、その画像情報から必要な情報を読みだすＯＣＲの機能も備えている。
【００１５】
ＩＤカード発行装置５０は、申請者、もしくは申請書の顔写真から顔画像を読取り、ＩＤカード情報をホストコンピュータ３０より取得し、免許証等のＩＤカード（ＩＣカード）を作成する。このＩＤカード情報は、免許証番号に対する免許証の記載情報（氏名、生年月日、本籍、住所、交付年月日、有効期限、免許の条件等、免許の取得年月日、取得免許の種類等の個人情報）である。また、ＩＤカード発行装置５０は、ＰＩＮ情報の未入力時に申請者によるＰＩＮ情報の入力を行うためのキーボード等からなるＰＩＮ入力部５１を有している。なお、ＰＩＮ入力部５１は、異常時などに使用するものであって、通常のＩＤカード発行時には、不要なので、特に、この部分に設ける必要はない。
【００１６】
ＰＩＮ照合端末６０はＩＤカード交付後ＩＤカードを受け取った申請者が自身のＩＤカードに記録されているＰＩＮ情報の正当性を確認するための端末であり、交付されたＩＤカードの記録情報読み取る為のカードリーダ６１を有している。
上記のように構成された、本発明の一実施形態に係るＩＤカード発行システムを動作を説明する。図２は、本発明の一実施形態に係るＩＤカード更新の基本的な動作の流れを示すフローチャートである。
【００１７】
まず、更新申請する申請者はＩＤカード更新申請受付端末４０のカードリーダ４２に旧ＩＤカードをセットし、更新登録に必要なＩＤ番号等の記録媒体に格納されている情報を読み取らせる（ステップＡ１）。この場合において、ＩＤカードがＩＣかされていない場合には、カードリーダ４２は、ＯＣＲ機能により、免許証番号等を読み取る。
【００１８】
ＩＤカードが認証された場合には、申請者は、ＩＤカードの情報を読み出すためのＰＩＮ情報をＰＩＮ入力部４１より入力する（ステップＡ２）。この際、上気したように、複数のＰＩＮ情報を有するＩＤカードの場合は複数のＰＩＮ情報入力を行うことができるものとする。
【００１９】
旧ＩＤカードから読み取ったＩＤ番号と申請者が入力したＰＩＮ情報とを、ＰＩＮ管理サーバ１０に送信し、ＩＤ番号とＰＩＮ情報とを関連付けてＰＩＮ情報の登録を行う（ステップＡ３）。なお、この時点で、ＩＤカードの更新に必要なその他の情報をホストコンピュータ３０に送信し、更新登録を行う。
【００２０】
図３を参照して、ＩＤカードを作成に係る流れを説明する。図３は、本発明の一実施形態に係るＩＤカード作成の基本的な動作の流れを示すフローチャートである。
係員は、ＩＤカード発行装置５０の図示しない入力部に、これから作成するＩＤカードのＩＤ番号を入力して、申請者の写真撮影を行う（ステップＢ１）。ここで、係員により入力されたＩＤ番号をキーにＰＩＮ管理サーバ１０からそのＩＤ番号に対するＰＩＮ情報を取得し、取得したＰＩＮ情報を確認する（ステップＢ２）。
【００２１】
ＰＩＮ情報がＰＩＮ管理サーバ１０に格納されていなければ（ステップＢ３の無）、申請者はＩＤカード発行装置５０のＰＩＮ入力部５１からＰＩＮ情報を入力する（ステップＢ４）。その際、申請者によって入力されたＰＩＮ情報をＰＩＮ管理サーバ１０に送信して、ＰＩＮ情報の登録を行う。
【００２２】
ステップＢ３において、ＰＩＮ情報がＰＩＮ管理サーバ１０に登録されているのであれば（ステップＢ３の有）、ホストコンピュータ３０と通信を行いＩＤカード作成に必要な情報を取得し、ＰＩＮ管理サーバ１０から取得またはＩＤカード発行装置５０で入力されたＰＩＮ情報と合わせて、ＩＤカードの作成を行う（ステップＢ５）。  
次に、図４を参照して、ＰＩＮ情報の照合に係る流れを説明する。図４は、本発明の一実施形態に係るＰＩＮ情報の照合の基本的な動作の流れを示すフローチャートである。
【００２３】
新しいＩＤカードを交付された申請者は、ＰＩＮ照合端末６０のカードリーダ６１にＩＤカードをセットし、申請者自身のＰＩＮ情報を入力する（ステップＣ１）。
ＰＩＮ照合端末６０は、申請者が入力したＰＩＮ情報と、ＩＤカードに格納されているＰＩＮ情報と、ＰＩＮ管理サーバ１０に格納されているＰＩＮ情報との照合を行う（ステップＣ２）。
【００２４】
そして、その照合結果を表示する（ステップＣ３）。なお、ＰＩＮ情報を照合した結果、問題がある場合は、ＰＩＮ確認端末２０で係員によるデータ確認が行われる。
上記のように、本実施形態では、従来、係員が入力していたＰＩＮ情報を申請者が全て入力するようにしている。このため、ＰＩＮ情報の誤入力の恐れがなくなり、ＰＩＮ情報の入力や確認時間が短縮され、更に、ＰＩＮ情報を第３者である係員が知ることがなくなる。
【００２５】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００２６】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２７】
【図１】本発明の一実施形態に係るＩＤカード発行システムの概略構成を示すブロック図。
【図２】本発明の一実施形態に係るＩＤカード更新の基本的な動作の流れを示すフローチャート。
【図３】本発明の一実施形態に係るＩＤカード作成の基本的な動作の流れを示すフローチャート。
【図４】本発明の一実施形態に係るＰＩＮ情報の照合の基本的な動作の流れを示すフローチャート。
【符号の説明】
【００２８】
１０…ＰＩＮ管理サーバ
２０…ＰＩＮ確認端末
３０…ホストコンピュータ
４０…ＩＤカード更新申請受付端末
４１…ＰＩＮ入力部
４２…カードリーダ
５０…ＩＤカード発行装置
５１…ＰＩＮ入力部
６０…ＰＩＮ照合端末
６１…カードリーダ
７０…通信回線
【図１】
2006285918.tif 000003
【図２】
2006285918.tif 000004
【図３】
2006285918.tif 000005
【図４】
2006285918.tif 000006